(57)【特許請求の範囲】
【請求項１】
シフト位置を示す複数のポジション文字を有する表示部と、この表示部を照明する光源とをシフトパネルに備え、選択されたシフトポジションを光学的に表示させるギアシフト用表示装置において、
各々のポジション文字に相対させた複数の分割室からなる第１室と、この第１室に隣接させ、かつ、前記分割室との間に導光孔を形成した一つの部屋からなる第２室とを設けたケースと、
前記第１室の分割室毎に設け、前記ポジション文字各々を選択されたシフトポジションにしたがって照明する複数の第１光源と、前記第２室に設けて照射光を前記導光孔から各分割室内に伝達する第２光源と、
前記ケースと一体として前記第１、第２室に設け、前記第２光源の照射光を拡散させると共に、その拡散光を前記ケースの色彩に着色させる光拡散部とを備え、
前記第２室に設けた光拡散部は、前記第２光源の上方の天井壁から室内に向かって突出形成し、さらに、当該光拡散部の側部には、前記表示部に形成される非透光面部と前記ケースとの間に前記第２光源の照明光を部分的に漏らす光調整孔を設け、  
複数のポジシヨン文字の全体を着色された拡散光によって間接照明することができる構成としたギアシフト用表示装置。
【請求項２】
請求項１に記載したギアシフト用表示装置において、
前記第１室に設けた光拡散部は、導光孔から伝達される第２室からの拡散光を反射して更に拡散させる各分割室に設けた反射面からなり、前記第２室に設けた光拡散部は、前記第２光源の上方の天井壁から室内に向かって突出形成し、第２光源の照射光を乱反射して拡散する突形部からなることを特徴とするギアシフト用表示装置。
【発明の詳細な説明】
【技術分野】
【０００１】
本発明は、車輌に備えるギアシフト用表示装置に関し、特に、表示部を光学的に表示する照明機構付きのギアシフト用表示装置に関する。
【背景技術】
【０００２】
車輌のギアシフト位置を示すギアシフト用表示装置として照明機構を備えたものが公知となっている。
図１５はこの種のギアシフト用表示装置の一例を示す概略断面図で、装置ケース１１には、図１６に示すシフト位置１２（P、R、N、Ｄ、２、Lを含む表示位置）に対応させた複数の個室１３が設けられ、そして、これら各個室１３の底部にはシフトポジション表示用のランプ１４が、個室１３外にはアンバー色（琥珀色）に発光する一般照明用のランプ１５が各々配設されている。
【０００３】
また、個室１３の上部には導光板１６が配設され、この導光板１６の下面に緑色のレンズ１７が、その上面部分にシボ加工部が各々設けられ、さらに、上記導光板１６の上面には文字板１８が配設されている。
この文字板１８は、透光性板１９の表面に施したポジション文字（P、R、N、Ｄ、２、L）２０以外の部分の不透明性印刷２１と、その裏面に設けた透光性の白色印刷２２とから形成されている。
【０００４】
このように構成されたギアシフト用表示装置は、一般照明用のランプ１５を点灯させると、このランプ１５の点灯光が導光板１６を伝播してポジション文字２０を照明するため、一般照明を行う夜間などでは、複数のポジション文字２０の全部がアンバー色で表示される。
また、選択されたギアシフト位置にしたがってランプ１４が点灯すると、ランプ１４の点灯光がレンズ１７を伝播して照明されるため、シフト位置に対応する１つのポジション文字２０が緑色で表示される。
【０００５】
【特許文献１】特許第３４７８９３７号公報
【発明の開示】
【発明が解決しようとする課題】
【０００６】
上記したギアシフト用表示装置は、各個室１３の上部に導光板１６を設け、この導光板の上下にレンズ１７と文字板１８とを備え、さらに、個室１３の内外にランプ１４、１５を配設して構成されるため、装置形態が大型化し広い組込スペースが必要となる他、導光板１６の設計が難しく高価なものとなる上、部品点数も多いことから装置コストが高くなる。
【０００７】
また、選択されたシフト位置に対応するポジション文字２０の表示が、導光板１６を伝播するランプ１５の一般照明光に影響されることから、ポジション文字２０の選択照明と夜間照明との両立が充分でない場合が生じる。
【０００８】
さらに、上記のギアシフト用表示装置では、ギアシフトにしたがうポジション文字が緑色表示となり、また、夜間などでは、ギアシフトにしたがうポジション文字が緑色とアンバー色（琥珀色）の混色、その他のポジション文字がアンバー色の表示となるが、このようなポジション文字の表示色を変える場合は、ランプ１４または１５を点灯光色の異なるものに取り替えたり、或いは、レンズ１７を他の色合いのレンズに変える必要がある。
しかしながら、ランプの点灯光色やレンズの色合いの種類には限りがあるため、ポジション文字の表示色を所望の色に設定することができなかった。
【０００９】
本発明は、上記した実情にかんがみ、ポジション文字の選択照明とこのシフト表示部の夜間照明とを確実に両立させることができる他、ポジション文字の表示色を所望の色合いに設定することができ、さらには、構成部品を可能なる限り少なくし、装置形態の小型化と装置コストの低廉化とを計ることができるギアシフト用表示装置を提供することを目的とする。
【課題を解決するための手段】
【００１０】
上記した目的を達成するため、本発明では、シフト位置を示す複数のポジション文字を有する表示部と、この表示部を照明する光源とをシフトパネルに備え、選択されたシフトポジションを光学的に表示させるギアシフト用表示装置において、各々のポジション文字に相対させた複数の分割室からなる第１室と、この第１室に隣接させ、かつ、前記分割室との間に導光孔を形成した一つの部屋からなる第２室とを設けたケースと、前記第１室の分割室毎に設け、前記ポジション文字各々を選択されたシフトポジションにしたがって照明する複数の第１光源と、前記第２室に設けて照射光を前記導光孔から各分割室内に伝達する第２光源と、前記ケースと一体として前記第１、第２室に設け、前記第２光源の照射光を拡散させると共に、その拡散光を前記ケースの色彩に着色させる光拡散部とを備え、  前記第２室に設けた光拡散部は、前記第２光源の上方の天井壁から室内に向かって突出形成し、さらに、当該光拡散部の側部には、前記表示部に形成される非透光面部と前記ケースとの間に前記第２光源の照明光を部分的に漏らす光調整孔を設け、複数のポジシヨン文字の全体を着色された拡散光によって間接照明することができる構成としたギアシフト用表示装置を提案する。
【００１１】
また、上記した第１室の光拡散部としては、導光孔から伝達される第２室からの拡散光を反射して更に拡散させる反射面を各分割室に設けてもよく、さらに、第２室の光拡散部としては、前記第２光源の上方の天井壁から室内に向かって突出形成し、第２光源の照射光を乱反射して拡散する突形部として構成することができる。
【発明の効果】
【００１３】
本発明の表示装置は、各分割室毎に設けた第１光源によって選択されたシフトポジションに相対するポジション文字が照明され、ギアシフト位置が光学的に表示される。
また、第２光源が点灯すると、その照射光が導光孔を通って各分割室に導かれ、各分割室を介して複数のポジション文字の全体が間接照明される。
【００１４】
すなわち、第２光源の照射光が第１、第２室内に設けた光拡散部によって反射して拡散することから、複数のポジション文字が均一な拡散光により間接照明される。
さらに、第２光源の照射光がケースの色彩によって決まる色調の拡散光となるので、ケースの色彩に応じて第２光源の照射光の色合いを変えることができる。
【００１５】
つまり、第２光源をランプやＬＥＤで構成した場合、数種類の発光色のものに限られるが、ケースの色彩については任意に設定することができるので、第２光源の照射光を所望の色合に変えることができる。
この結果、第２光源によって同時照明される複数のポジション文字に対し、シフト位置にしたがって第１光源によって照明されたポジション文字を鮮明に判別することができる。
【００１６】
このことから、選択されたポジション文字の照明とポジション文字全体の夜間照明とを確実に両立させることができ、さらに、１つの光源を第２光源として備えれば、導光レンズなどを使用しないで複数のポジション文字全体を照明することができるので、構成部品を少なくし、装置形態の小型化と装置コストの低廉化を計ることができる。
【発明を実施するための最良の形態】
【００１７】
次に、本発明の一実施形態について図面に沿って説明する。
図１は、車輌に搭載される通常のオートマティック・トランスミッシヨンのギアシフト部に備えられたパネル３０と、このトランスミッシヨンのギアシフト用表示装置の装置本体３１とを示す斜視図、図２はギアシフト用表示装置の装置本体３１をネジ止めによりパネル３０に取り付けた状態を示す断面図である。
【００１８】
これらの図面に示すように、パネル３０にはシフトレバー（図示省略）を突出させる孔部３２の側近部にシフト表示部３３が設けてある。
このシフト表示部３３には、シフトポジションを示す、Ｐ（パーキング）、Ｒ（リバース）、Ｎ（ニュートラル）、Ｄ（ドライブ）のポジション文字３４と、マニュアルでギアシフトをＵＰ/ＤＯＷＮ操作する「＋・−」のポジション文字３５とが設けられている。
【００１９】
上記のシフト表示部３３は、ポジション文字３４、３５を白色印刷したシート３６をパネル３０にインサート成型して構成したもので、上記した装置本体３１とでギアシフト用表示装置を構成している。
すなわち、図３に示した如く、透明なシート３６にポジション文字３４を白色印刷して透光可能とし、また、ポジション文字周囲を黒色印刷３６ａとして不透光としてある。
上記したシート３６は透光性の合成樹脂材などで構成することができる。
なお、ポジション文字３５についても同様に形成してある。
【００２０】
装置本体３１は、図２により分かるように、後述する第１、第２光源を設けたプリント基板３７をケース３８内に収納し、プリント基板３７の背面側からカバー３９をケース３８に固着させた構成となっている。
なお、ケース３８とカバー３９は合成樹脂材で形成してあり、また、カバー３９は、それに設けた係止爪をケース３８の係止孔に係止させて固着してある。
【００２１】
一方、ケース３８については、全体を着色してある。
本実施形態では、白っぽい青色（白ばむ青色）に着色したケース３８としてある。
ケース３８の着色は、ケース材料に着色材料粉末を混ぜてケース成形し、或いは、着色塗料をケースに塗り付けるなどの方法で行うことができる。
【００２２】
続いて、装置本体３１について詳細に説明する。
図４は装置本体３１の斜視図、図５は装置本体３１の正面図、図６は装置本体３１の一部切欠き正面図、図７は図５上のＡ−Ａ線断面図、図８は図５上のＢ−Ｂ線断面図、図９は図５上のＣ−Ｃ線断面図、図１０は図５上のＤ−Ｄ線断面図、図１１は図５上のＥ−Ｅ線に沿って切断して示した部分的な斜視図、図１２は図１０の一部を拡大して示した一部拡大断面図である。
【００２３】
これらの図面に示した如く、この装置本体３１のケース３８には、正面側に開口を有する第１室４０と、正面側に開口を持たない第２室（図６、図９、図１０参照）４６とが設けてある。
そして、第１室４０は、仕切り壁で仕切られた５つの分割室４１、４２、４３、４４、４５から形成してある。
【００２４】
なお、これら分割室４１〜４５のうち、分割室４１〜４４はポジション文字（Ｐ、Ｒ、Ｎ、Ｄ）３４の間隔に合わせた配置間隔とし、分割室４５についてはポジション文字「＋・−」３５に合わせ細長形状とし、これら分割室４１〜４５をポジション文字３４、３５の配置位置に対応させるようにしてある。
また、第２室４６は上記した第１室４０に隣接させた１つの部屋から形成してある。
【００２５】
さらに、上記した分割室４１〜４５の壁面には、図４及び図６より分かるように、第２室４６と連通させた導光孔４１ａ、４２ａ、４３ａ、４４ａ、４５ａを形成すると共に、これら各分割室４１〜４５の内面側には、上記の導光孔４１ａ〜４５ａを通って入射する光を反射させて拡散するテーパー面（光拡散部）４１ｂ、４２ｂ、４３ｂ、４４ｂ、４５ｂが設けてある。
これら反射面４１ｂ〜４５ｂはケース３８と一体形成し、ケース色と同色となっている。
【００２６】
一方、プリント基板３７には、第１光源として６つのＬＥＤ（発光ダイオード）、５１、５２、５３、５４、５５、５６と、第２光源として１つのＬＥＤ（発光ダイオード）５７が設けてある。
ＬＥＤ５１〜５６としては、指向性が高くアンバー色（琥珀色）に発光するものを使用し、ＬＥＤ５１〜５４を分割室４１〜４４の奥部の位置に、ＬＥＤ５５、５６が分割室４５の奥部の位置に各々配設してある。
【００２７】
第１光源としてのＬＥＤ５１〜５６は、ギアシフトの選択操作にしたがって点灯し、シフト位置がポジション文字「Ｐ」となるときはＬＥＤ５１が点灯し、ポジション文字「Ｒ」となるときはＬＥＤ５２が点灯し、以下同様にシフト位置にしたがってＬＥＤ５３、５４が点灯するようになっている。
また、ＬＥＤ５５、５６は、ギアシフトをマニュアル操作するときに点灯させるものである。
なお、ＬＥＤ５５、５６はいずれか１個を設けるようにすることもできる。
【００２８】
また、第２光源としてのＬＥＤ５７については、輝度の高い白色発光のものを使用し、第２室４６内の奥部の位置に配設してある。
このＬＥＤ５７は、ギアシフトの選択操作に関係なく、夜間照明として点灯させるようになっており、このＬＥＤ５７の点灯によりシフト表示部（複数のポジション文字３４、３５の全体）３３を照明する。
【００２９】
第２室４６は、図６、図１０、図１１、図１２に示すようにさらに、ケース枠部とプリント基板とで囲まれた閉鎖室で、これには既に述べたように各分割室４１〜４５に連通させた導光孔４１ａ〜４５ａを設け、さらには、天井壁から室内に向かって突出させた２等辺３角形状の突形部（光拡散部）４６ａが設けてある。
この突形部４６ａによって第２光源としてのＬＥＤ５７の光を乱反射させて拡散させる。
つまり、ＬＥＤ５７の照射光を上記の突形部４６ａによって拡散させ、その拡散光をそれぞれの導光孔を通して分割室４１〜４５各々に伝達する構成となっている。
【００３０】
なお、上記した突形部４６ａは、図４及び図１２などから分かる通り、Ｖ字状に凹部形成し、その一方側に角形孔４６ｂを設けた構成としてある。
そして、突形部４６ａの上面とシフト表示部３３のシート面（非透光面部）との間に僅かな空間を形成する構成としてある。
【００３１】
このように構成することにより、第２光源としてのＬＥＤ５７の照射光が上記角形孔４６ｂから部分的に漏れ出るので、ＬＥＤ５７の真上に出る照射光の強さを調整し、拡散光として均一した照明光を得ることができる。
なお、上記した突形部４６ａは、３角形状にかぎらず、半円形凹部などその他の形状に形成してもよく、また、角形孔４６ｂについてもその他の形状の孔部にすることができる。
【００３２】
上記のように構成した装置本体３１は、図２に示すように、パネル３０の一側裏面にネジ止めして取付けギアシフト用表示装置を構成する。
なお、このように取付ける場合、分割室４１を文字「Ｐ」に、分割室４２を文字「Ｒ」に、分割室４３を文字「Ｎ」に、分割室４４を文字「Ｄ」に、分割室４５を文字「＋・−」に各々位置合わせする。
【００３３】
このように構成したギアシフト用表示装置は、ギアシフトの選択操作にしたがうシフト位置に対応したＬＥＤ５１〜５４の１つが点灯し、ポジション文字Ｐ、Ｒ、Ｎ、Ｄの何れか一つがアンバー色に表示される。
また、マニュアル操作されたときは、そのシフト位置に対応するＬＥＤ５５、５６が点灯し、ポジション文字「＋・−」がアンバー色に表示される。
【００３４】
また、夜間にはＬＥＤ５７を点灯させることから、先ず、ＬＥＤ５７の照射光が突形部４６ａなどで反射して拡散すると共に、その反射に伴って白っぽい青色の拡散光となる。
そして、第２室内で拡散した拡散光が、図６に矢示する如く、各々の導光孔４１ａ〜４５ａを通って各分割室４１〜４５内に入射する。
【００３５】
したがって、各分割室４１〜４５に入射したＬＥＤ５７の拡散光がテーパー面４１ｂ〜４５ｂで反射されて再び拡散され、これより、拡散光がこの反射に伴って白っぽい青色にさらにかわる。
このようにして、シフト表示部３３（ポジション文字３４、３５の全部）が上記の拡散光によって照明されるため、シフト表示部３３の全面が白っぽい青色光により均一に照明される。
【００３６】
つまり、第２光源であるＬＥＤ５７の照射光は、シフト表示部３３を直接照射せず、テーパー面４１ｂ〜４５ｂや突形部４６ａなどの光拡散部によって拡散され、かつ、その拡散と共に白っぽい青色光に変換されるから、シフト表示部３３を間接照明することになる。
【００３７】
具体的には、ポジション文字Ｐに対応する分割室４１では、図４〜図７、図９に示す如く、第２室４６のＬＥＤ５７の照射光に基づく拡散光が導光孔４１ａを通って入射し、テーパー面４１ｂで反射してシフト表示部３３へ導かれる。
そして、ＬＥＤ５７の光がシフト表示部３３を直接照射しないように、遮蔽壁４１ｃで遮られる。
【００３８】
ポジション文字Ｒに対応する分割室４２も同様に、図４〜図８に示す如く、第２室４６のＬＥＤ５７の照射光に基づく拡散光が導光孔４２ａを通って入射し、テーパー面４２ｂで反射してシフト表示部３３へ導かれる。
そして、ＬＥＤ５７の光がシフト表示部３３を直接照射しないように、遮蔽壁４２ｃで遮られる。
【００３９】
ポジション文字Ｎに対応する分割室４３についても同様に、図４〜図７に示す如く、第２室４６のＬＥＤ５７の照射光に基づく拡散光が導光孔４３ａを通って入射し、テーパー面４３ｂで反射してシフト表示部３３へ導かれる。
そして、ＬＥＤ５７の光がシフト表示部３３を直接照射しないように、遮蔽壁４３ｃで遮られる。
【００４０】
ポジション文字Ｄに対応する分割室４４についても同様に、図４〜図７に示す如く、第２室４６のＬＥＤ５７の照射光に基づく拡散光が導光孔４４ａを通って入射し、テーパー面４４ｂで反射してシフト表示部３３へ導かれる。
そして、ＬＥＤ５７の光がシフト表示部３３を直接照射しないように、遮蔽壁４４ｃで遮られる。
【００４１】
ポジション文字「＋・−」に対応する分割室４５についても同様に、図４〜図６、図１０、図１２に示す如く、第２室４６のＬＥＤ５７の照射光に基づく拡散光が導光孔４５ａを通って入射し、テーパー面４５ｂで反射してシフト表示部３３へ導かれる。
そして、ＬＥＤ５７の光がシフト表示部３３を直接照射しないように、遮蔽壁４５ｃで遮られる。
【００４２】
他方、本実施形態では、遮蔽壁４１ｃ〜４５ｃによって一つの分割室内のＬＥＤの光が他の分割室に入り込まないようにする役割を兼ねている。
すなわち、図１３に示す如く、分割室４２の導光孔４２ａの上部には少し引き下げた遮蔽壁４２ｃを設け、ＬＥＤ５２の光をこの遮蔽壁４２ｃで反射させ、導光孔４２ａから第２室４６に入る光を防止している。
なお、図１３は図８の一部を拡大して示した拡大部分図である。
【００４３】
つまり、この遮蔽壁４２ｃは、導光孔４２ａから第２室４６に入り、続いて他の分割室に入射するＬＥＤ５２の光を遮蔽するものであり、本実施形態では、他の分割室４１、４３〜４５についても同様の遮蔽壁が設けてある。
すなわち、図１４に示すように各分割室４１〜４５の各部所には上記した遮蔽壁４１ｃ〜４５ｃが設けてある。
なお、図１４はカバー３９とプリント基板３７とを取り外して示したケース３８の背面図である。
【００４４】
また、本実施形態では、図１２に示してあるように、分割室４５内にはテーパー面を有する光量調整部４５ｄを設けてポジション文字「＋・−」に部分的に強く当たるＬＥＤ５５、５６の重なる箇所の光を遮り、均一な光で照明されるようになっている。
また、この光量調整部４５ｄは、第２室４６のＬＥＤ５７の光の一部を図示する如く反射させ、シフト表示部３３を均一な拡散光で照射する役割を兼ねている。
【００４５】
以上、好ましい実施形態について説明したが、ケース３８の着色については、所望の色彩とすることができ、第１光源であるＬＥＤ５１〜５６の発光色や第２光源としてのＬＥＤ５７の発光色についてもケース３８の色彩などに合わせて各種の発光色のものを使用することがでる。
【産業上の利用可能性】
【００４６】
自動車などの車輌に備えるギアシフトの表示装置に適用することができる。
【図面の簡単な説明】
【００４７】
【図１】車輌に搭載される通常のオートマティック・トランスミッシヨンのギアシフト部に備えられたパネルと、このトランスミッシヨンのギアシフト用表示装置の装置本体とを示す斜視図である。
【図２】上記した装置本体をネジ止めによりパネルに取り付けた状態を示す断面図である。
【図３】上記したギアシフト用表示装置のシフト表示部を示す部分的な拡大断面図である。
【図４】上記した装置本体の斜視図である。
【図５】上記した装置本体の正面図である。
【図６】上記した装置本体の一部切欠き正面図である。
【図７】図５上のＡ−Ａ線断面図である。
【図８】図５上のＢ−Ｂ線断面図である。
【図９】図５上のＣ−Ｃ線断面図である。
【図１０】図５上のＤ−Ｄ線断面図である。
【図１１】図５上のＥ−Ｅ線に沿って切断して示した部分的な拡大斜視図である。
【図１２】図１０の一部を拡大して示した拡大部分図である。
【図１３】図８の一部を拡大して示した拡大部分図である。
【図１４】カバーとプリント基板とを取り外して示した上記装置本体のケース背面図である。
【図１５】従来例として示したギアシフト用表示装置の簡略的な断面図である。
【図１６】上記従来例のギアシフト位置を示した図である。
【符号の説明】
【００４８】
３０  パネル
３１  装置本体
３３  シフト表示部
３４、３５  ポジション文字
３６  シート
３７  プリント基板
３８  ケース
３９  カバー
４０  第１室
４１〜４５  分割室
４１ａ〜４５ａ  導光孔
４１ｂ〜４５ｂ  光拡散部であるテーパー面
４６  第２室
４６ａ  光拡散部である突形部
５１〜５７  ＬＥＤ
【図１】
0005305191.tif 000002
【図２】
0005305191.tif 000003
【図３】
0005305191.tif 000004
【図４】
0005305191.tif 000005
【図５】
0005305191.tif 000006
【図６】
0005305191.tif 000007
【図７】
0005305191.tif 000008
【図８】
0005305191.tif 000009
【図９】
0005305191.tif 000010
【図１０】
0005305191.tif 000011
【図１１】
0005305191.tif 000012
【図１２】
0005305191.tif 000013
【図１３】
0005305191.tif 000014
【図１４】
0005305191.tif 000015
【図１５】
0005305191.tif 000016
【図１６】
0005305191.tif 000017